(57)【特許請求の範囲】
【請求項１】
ビデオデッキにおける供給リール台の回転を制動する為の制動装置において、供給リール台にはバンドを巻付けてその一端はシャーシから起立した脚の先端を垂直に曲げ成形して水平に延びる係止部に連結し、バンドの他端はアームに回転自在に取付けたコネクタと連結し、アンローディング時においてアームとテンションレバー間に連結しているコイルスプリングの外側に上記コネクタのレバーを当てることで該コネクタの向きを変え、そしてバンドに適度な張力を付加して供給リール台にブレーキを掛け、ローディング時においてはコネクタのレバーがコイルスプリングから離れると共にバンドに張力を付加することを特徴とするビデオデッキにおける供給リール台の制動装置。
【請求項２】
上記コネクタの形状を概略Ｌ型としてその中央部をアームに軸支し、一片にバンドを連結すると共に、他片であるレバーをコイルスプリングに当るようにした請求項１記載のビデオデッキにおける供給リール台の制動装置。
【発明の詳細な説明】
【０００１】
【発明の属する技術分野】
本発明はビデオデッキにおいて供給リール台が勝手に回転しないようにするブレーキを掛け、又テープの巻き戻し時において必要なテンションが作用するようにする制動装置に関するものである。
【０００２】
【従来の技術】
ビデオデッキにおいて、テープを巻取りリール側に巻き取る場合、適当なテープテンションを保つ必要がある。その為に、リール台にはバンドブレーキが備わって、該リール台の回転を制動している。又カセットテープをビデオデッキに装着してアンローディング状態にある場合には、テープがカセットからはみ出すことがある。例えば、カセットテープをビデオデッキから引出す場合、テープが弛まないように引出し動作を行なう必要がある。その為に、供給リール台が自由に回転しないようにブレーキを作用している。又カセットテープをブレー位置にローディングする際、リール台の羽部とカセットテープのリール受側の凹部との係合が不完全な場合、テープはカセットからはみ出すことがある。
【０００３】
図３は従来の供給リール台の制動装置で、（ａ）はアンローディング状態を、（ｂ）はローディング状態を示している。供給リール台１の外周にはバンド２が巻付き、その一端はコネクタ３に連結し、他端は別のコネクタ４に連結され、両コネクタ３，４はアーム５に取着されている。そしてローディング状態では（ｂ）のように軸６を中心として揺動し、バンド２は引張られて供給リール台１の外周に接して所定の張力が作用する。
【０００４】
このようにローディング時にはバンド２に張力を付加することにより、供給リール台１を制動することが出来るが、アンローディング時には供給リール台１が自由に回転しないようにブレーキレバー７の先端がバンド２に当っている。すなわち、ブレーキレバー７にはコイルバネ８が取付けられ、該コイルバネ８のバネ力にてブレーキレバー７の先端はバンド２に押圧されて供給リール台１の回転が規制される。従って、カセットテープをビデオデッキから引出す場合には、テープが弛まないように引出し動作を行なうことが出来る。
【０００５】
そしてローディング時にはアーム５が揺動すると共にカム９が矢印方向にスライドし、カム９のスライドと共にテンションレバー１０が矢印方向に揺動し、ブレーキレバー７に設けているピンがテンションレバーのカムと係合してブレーキレバー７の先端がバンド２から離れ、ブレーキが解除される。
【０００６】
図４にはテンションレバー１０、カム９及びブレーキレバー７との関係をアンローディング時とローディング時とに分けて示しているが、テンションレバー１０に設けているスライダー１１はカム９に形成している溝１２に遊嵌し、さらにテンションレバー１０の先端のスライダーは別の溝１３に遊嵌している。そこでカム９が左方向へスライドするならば、該テンションレバー１０は（ｂ）のようにスライダー１１を中心として揺動することが出来る。
【０００７】
ところで、供給リール台１に巻付いているバンド２の長さが適当でない場合には、ローディング状態にしてもブレーキが全く作用しなかったり、逆にアンローディング状態でブレーキが働くことになる。その為に他端のコネクタ４側には調整ネジ１４が設けられ、この調整ネジ１４を回すことでバンド２の長さを調整可能としている。
【０００８】
しかし、同図からも明らかなようにテンションバンド２の他にブレーキレバー７を備える等、供給リール台１の制動装置は複雑である。その為に製作コストは高くなり、しかも故障する頻度は高い。
【０００９】
【発明が解決しようとする課題】
このように従来の供給リール台の制動装置には上記のごとき問題がある。本発明が解決しようとする課題はこの問題点であり、アンローディング時の供給リール台の回転を規制するブレーキレバーを備えることなく、簡単な構造でブレーキ動作を行なうことが出来る供給リール台の制動装置を提供する。
【００１０】
【課題を解決する為の手段】
本発明に係る供給リール台の制動装置は従来のブレーキレバーを備えることなく、供給リール台に巻付くバンドでもって制動することが出来るように構成している。そこで、バンドの一端はシャーシから起立した係止部に係止し、バンドの他端はアームに取着しているコネクタに連結している。コネクタの一部はテンションレバーとアーム間に繋がっているコイルバネに当って該コネクタの向きが変化し、その結果バンドを引張ることになって所定の張力が作用するようにしている。
【００１１】
このコイルバネに押されてバンドに作用する張力がアンローディング時のブレーキとして作用し、従来のブレーキレバーを要しない。又バンドの長さ調整はバンド一端が係止する係止部にて行なうことが出来るが、該バンド両端の連結形態は限定しない。以下、本発明に係る実施例を図面に基づいて詳細に説明する。
【００１２】
【実施例】
図１は本発明に係る供給リール台の制動装置を示している実施例である。同図の２１は供給リール台、２２はバンド、２３はアーム、２４はカム、２５はテンションレバーをそれぞれ示している。供給リール台２１にはバンド２２が巻付き、その一端は係止部に係止して連結し、他端はアーム２３に取着されているコネクタ２７に連結している。
【００１３】
そこでローディング時にアーム２３が軸２８を中心として回転するならば、アーム２３と共にコネクタ２７が軸２８を中心として回動することでバンド２２は供給リール台２１に巻付いて適度な張力が作用し、その結果、ブレーキが作用する。その為にはバンド２２の長さが適切でなくてならず、例えば係止部２６を捩ることで行なうことが出来る。図２は係止部２６を示している具体例であり、バンド２２の一端に設けたスリット穴２９に係止部２６を嵌めて係止する。そして供給リール台２１に巻付いたバンド長さを調整するには脚３０を捩ることで行なうことが出来る。
【００１４】
ただし本発明はバンド２２の連結構造を限定するものではなく、図２に示すようにシャーシの一部を起立して設ける場合に限らない。そしてバンド２２の他端を連結する為のコネクタ２７は概略Ｌ型を成して中央にてアーム２３に取付けられ、しかも該コネクタ２７は回転可能に軸支されている。そこでコネクタ２７はバンド２２に引張られて、該バンド２２と同じ方向へ向くことになるが、図１（ａ）に示すアンローディング状態ではＬ型コネクタ２７のレバー３１がコイルスプリング３２に当って向きを変え、バンド２２とは僅かに屈曲している。
【００１５】
このようにコネクタ２７のレバー３１がコイルスプリング３２に当ることでその向きが変わり、そしてバンド２２を引張ることになる。その結果、バンド２２により供給リール台２１にはブレーキが作用し、自由に回転することは出来なくなる。しかし、図１（ｂ）に示すローディング状態となれば、アーム２３が軸２８を中心として回転すると共に、テンションレバー２５が矢印方向に揺動してコネクタ２７のレバー３１はコイルスプリング３２から離れてバンド２２を引張って供給リール台２１に適度なブレーキを作用する。
【００１６】
以上述べたように、本発明の供給リールの制動装置は供給リールに巻付くバンドの他端を連結するコネクタをアームに回転可能に取付け、アンローディング時にはテンションレバーとアーム間に連結したコイルスプリングにコネクタの一部が当るようにしたものであり、次のような効果を得ることが出来る。
【００１７】
【発明の効果】
本発明に係る供給リール台の制動装置は該供給リール台に巻付くバンドの一端をシャーシに止着すると共に、他端はアームに取付けたコネクタと連結している。従ってアンローディング状態では上記コネクタのレバーがアームとテンションレバーを連結しているコイルスプリングに当ってその向きが変わり、その結果、バンドを僅かに引張ることになり、供給リール台にブレーキが作用する。
【００１８】
従って、従来のようなアンローディング状態で供給リール台の回転を規制する為のブレーキレバーは不要となり、ローディング時のブレーキとして作用するバンドをそのまま共用することが出来る。従って、制動装置は従来のものに比較して簡単となり、勿論、製作コストは安く、故障も少なくなる。
【図面の簡単な説明】
【図１】本発明の供給リール台の制動装置を示す実施例。
【図２】バンドの一端を止着する係止部。
【図３】従来の供給リール台の制動装置。
【図４】従来のテンションレバーとカム及びブレーキレバーの関係。
【符号の説明】
２１  供給リール台
２２  バンド
２３  アーム
２４  カム
２５  テンションレバー
２６  係止部
２７  コネクタ
２８  軸
２９  スリット穴
３０  脚
３１  レバー
３２  コイルスプリング
【図１】
0003627102.tif 000002
【図２】
0003627102.tif 000003
【図３】
0003627102.tif 000004
【図４】
0003627102.tif 000005